(57)【要約】【課題】分水栓を回転させる外力が加わった場合に破損を防止できるサドル付分水栓を提供すること。【解決手段】サドル付分水栓１Ａは、取水孔４を備えるサドル５、中間部材７、分水栓６、およびパッキン８を備える。中間部材７は、サドル貫通孔２７に挿入される筒部３５、サドル５に固定される固定部３６、筒部３５の内周面に設けられた中間部材側雌ねじ３８を備える。分水栓６は、中間部材側雌ねじ３８に螺合する分水栓側雄ねじ４５を有し、筒部３５にねじ込まれた流入管４３を備える。パッキン８は、流入管４３の軸線Ｌ方向から見た場合に、分水栓側雄ねじ４５と中間部材側雌ねじ３８とが螺合する螺合部分５５、筒部３５、およびサドル５におけるサドル貫通孔２７の開口縁２７ａと重なる。【選択図】図２
2020133708.tif 000002
【特許請求の範囲】
【請求項１】
配水管に設けられた取水孔に重なるサドル貫通孔を備えるサドルと、
前記サドル貫通孔に挿入される筒部、前記サドルに固定される固定部、および前記筒部の内周面に設けられた雌ねじを備える中間部材と、
前記サドル貫通孔に連通する流入管を備える分水栓と、
前記サドルが前記配水管に重ねられたときに当該配水管に接触して前記取水孔を囲むパッキンと、を有し、
前記流入管は、前記雌ねじに螺合する雄ねじを備え、前記筒部にねじ込まれており、
前記パッキンは、前記流入管の軸線方向から見た場合に、前記雄ねじと前記雌ねじとが螺合する螺合部分、前記筒部、および前記サドルにおける前記サドル貫通孔の外周縁と重なることを特徴とするサドル付分水栓。
【請求項２】
前記サドルを前記配水管に重ねたときに前記配水管が位置する側を第１方向、前記サドルが位置する側を第２方向とすると、
前記流入管は、前記筒部の所定の位置まで捩じ込まれており、
前記所定の位置は、前記流入管を更に前記第１方向に捩じ込むことが可能な位置であることを特徴とする請求項１に記載のサドル付分水栓。
【請求項３】
前記流入管は、前記所定の位置において前記筒部から前記第１方向に突出する突出部を備え、
前記パッキンは、前記突出部に取り付けられていることを特徴とする請求項２に記載のサドル付分水栓。
【請求項４】
前記突出部には、環状溝が設けられており、
前記パッキンは、前記環状溝に嵌め込まれた環状の嵌め込み部を備えることを特徴とする請求項３に記載のサドル付分水栓。
【請求項５】
前記流入管と前記筒部との間に配置された弾性の環状シール部材を有することを特徴とする請求項１から４のうちのいずれか一項に記載のサドル付分水栓。
【請求項６】
前記サドルは、前記サドル貫通孔の内壁面にサドル側雌ねじを備え、
前記中間部材は、前記筒部の外周面に前記サドル側雌ねじに螺合する中間部材側雄ねじを備え、
前記固定部は、前記中間部材側雄ねじであることを特徴とする請求項１から５のうちのいずれか一項に記載のサドル付分水栓。
【請求項７】
前記固定部に塗布されて前記サドルと前記中間部材とを接着する第１接着剤と、
前記雄ねじと前記雌ねじとの螺合部分に塗布されて、前記第１接着剤よりも弱い接着力で前記分水栓と前記中間部材とを接着する第２接着剤と、
を有することを特徴とする請求項６に記載のサドル付分水栓。
【請求項８】
前記中間部材は、前記筒部から外周側に広がるフランジ部を備え、
前記固定部は、前記フランジ部であり、
前記サドルは、前記サドル貫通孔の外周側に前記フランジ部が固定されるサドル側固定部を備えることを特徴とする請求項１から５のうちのいずれか一項に記載のサドル付分水栓。
【請求項９】
前記中間部材と前記分水栓との相対回転を防止する回転防止機構を有し、
前記回転防止機構は、前記中間部材に設けられた中間部材側係止部と、前記分水栓に設
けられた分水栓側係止部と、前記中間部材側係止部および前記分水栓側係止部に着脱可能に係止されて前記中間部材と前記分水栓との相対回転を防止する係止部材と、を備えることを特徴とする請求項１から８のうちのいずれか一項に記載のサドル付分水栓。
【発明の詳細な説明】
【技術分野】
【０００１】
本発明は、配水管を流通する水を分岐させるサドル付分水栓に関する。
【背景技術】
【０００２】
配水管に載せられる鞍形状のサドルと、サドルに固定された分水栓と、を有するサドル付分水栓は特許文献１に記載されている。同文献では、サドルは、配水管の取水孔に重ねられる筒部を備える。筒部の内周面には雌ねじが設けられている。分水栓は、雌ねじに螺合する雄ねじを備える水の流入管を備える。流入管は、筒部にねじ込まれて取水孔に連通する。また、分水栓は、流入管からの水を当該流入管の軸線と交差する方向に流出させる流出口を備える。流出口には給水管が接続される。流出口に接続された給水管は配水管と交差する方向に延びる。
【先行技術文献】
【特許文献】
【０００３】
【特許文献１】特開２０００−１７０９８２号公報
【発明の概要】
【発明が解決しようとする課題】
【０００４】
サドル付分水栓は、配水管および給水管とともに地中に埋設される。従って、地震などに起因して地盤が変動すると、互いに交差する方向に延びる配水管および給水管に作用する外力によって、分水栓がサドルに対して回転しようとする場合がある。
【０００５】
ここで、分水性をサドルに固定する際には、分水栓とサドルとが相対回転しないように分水栓をサドル貫通孔に捩じ込んでいる。従って、従来のサドル付分水栓では、配水管および給水管からサドル付分水栓に外力が働いたときに、その力を逃がすことができず、サドル付分水栓に損傷が発生することがある。
【０００６】
本発明の課題は、このような点に鑑みて、分水栓を回転させる外力が加わった場合に破損を防止できるサドル付分水栓を提供することにある。
【課題を解決するための手段】
【０００７】
上記の課題を解決するために、本発明のサドル付分水栓は、配水管に設けられた取水孔に重なるサドル貫通孔を備えるサドルと、前記サドル貫通孔に挿入される筒部、前記サドルに固定される固定部、および前記筒部の内周面に設けられた雌ねじを備える中間部材と、前記サドル貫通孔に連通する流入管を備える分水栓と、前記サドルが前記配水管に重ねられたときに当該配水管に接触して前記取水孔を囲むパッキンと、を有し、前記流入管は、前記雌ねじに螺合する雄ねじを備え、前記筒部にねじ込まれており、前記パッキンは、前記流入管の軸線方向から見た場合に、前記雄ねじと前記雌ねじとが螺合する螺合部分、前記筒部、および前記サドルにおける前記サドル貫通孔の外周縁と重なることを特徴とする。
【０００８】
本発明では、分水栓は、サドル貫通孔に挿入された中間部材の筒部に流入管をねじ込むことによりサドルに固定される。従って、分水栓をサドルに固定する際にサドル貫通孔の内壁面に雌ねじを設けて流入管を当該サドル貫通孔にねじ込んだ従来のサドル付分水栓と比較して、流入管の外径寸法を小さくできる。よって、流出口に接続された給水管などを介して分水栓を流入管の軸線回りに回転させる力が加わったときには、従来のサドル付分水栓と比較して、分水栓が回転しやすい。この結果、サドル分水栓に外力が加わった場合
には、分水栓が回転して、この力を逃がすことができる。従って、サドル付分水栓に損傷が発生することを防止できる。また、取水孔を囲むパッキンは、流入管の雄ねじと筒部の雌ねじとが螺合する螺合部分と重なる。従って、中間部材に対して分水栓が回転したときに、螺合部分から水漏れが発生することを防止或いは抑制できる。
【０００９】
本発明において、前記サドルを前記配水管に重ねたときに前記配水管が位置する側を第１方向、前記サドルが位置する側を第２方向とすると、前記流入管は、前記筒部の所定の位置まで捩じ込まれており、前記所定の位置は、前記流入管を更に前記第１方向に捩じ込むことが可能な位置であるものとすることができる。このようにすれば、サドル分水栓に外力が加わった場合に、分水栓は、第１方向に移動する回転方向および第２方向に移動する回転方向の双方に回転することができる。
【００１０】
本発明において、前記流入管は、前記所定の位置において前記筒部から前記第１方向に突出する突出部を備え、前記パッキンは、前記突出部に取り付けられているものとすることができる。このようにすれば、流入管の軸線方向から見た場合に、パッキンを、流入管の雄ねじと中間部材の筒部の雌ねじとの螺合部分とを重なる位置に配置することが容易である。また、パッキンが流入管の外周側に支持されるので、サドル付分水栓を配水管に重ねる際に、パッキンが脱落することがない。
【００１１】
本発明において、前記突出部には、環状溝が設けられており、前記パッキンは、前記環状溝に嵌め込まれた環状の嵌め込み部を備えるものとすることができる。このようにすれば、パッキンによって、流入管の雄ねじと中間部材の筒部の雌ねじとの螺合部分を、止水しやすい。
【００１２】
本発明において、前記流入管と前記筒部との間に配置された弾性の環状シール部材を有するものとすることができる。このようにすれば、流入管と筒部との間を確実に止水できる。
【００１３】
本発明において、前記サドルは、前記サドル貫通孔の内壁面にサドル側雌ねじを備え、前記中間部材は、前記筒部の外周面に前記サドル側雌ねじに螺合する中間部材側雄ねじを備え、前記固定部は、前記中間部材側雄ねじであるものとすることができる。このようにすれば、中間部材をサドルに固定することが容易である。
【００１４】
本発明において、前記固定部に塗布されて前記サドルと前記中間部材とを接着する第１接着剤と、前記雄ねじと前記雌ねじとの螺合部分に塗布されて、前記第１接着剤よりも弱い接着力で前記分水栓と前記中間部材とを接着する第２接着剤と、を有するものとすることができる。このようにすれば、中間部材とサドルとを確実に固定できる。この一方で、外力が加わったときに、分水栓を回転させることが容易である。
【００１５】
本発明において、前記中間部材は、前記筒部から外周側に広がるフランジ部を備え、前記固定部は、前記フランジ部であり、前記サドルは、前記サドル貫通孔の外周側に前記フランジ部が固定されるサドル側固定部を備えるものとすることができる。このようにすれば、中間部材をサドルに固定することが容易である。
【００１６】
本発明において、前記中間部材と前記分水栓との相対回転を防止する回転防止機構を有し、前記回転防止機構は、前記中間部材に設けられた中間部材側係止部と、前記分水栓に設けられた分水栓側係止部と、前記中間部材側係止部および前記分水栓側係止部に着脱可能に係止されて前記中間部材と前記分水栓との相対回転を防止する係止部材と、を備えるものとすることができる。このようにすれば、配水管および給水管に対してサドル付分水栓を設置する施工時には、係止部材を中間部材側係止部および分水栓側係止部に係止して
中間部材と分水栓とが相対回転することを防止できる。また、サドル付分水栓を配水管および分水栓とともに地中に埋設する際に係止部材を中間部材側係止部および分水栓側係止部から取り外しておけば、その後にサドル分水栓に外力が加わったときに分水栓が回転して、この力を逃がすことができる。
【発明の効果】
【００１７】
本発明によれば、分水栓を流入管の軸線回りに回転させる外力が加わった場合に、分水栓を回転させることができる。従って、外力によりサドル付分水栓が破損することを防止できる。
【図面の簡単な説明】
【００１８】
【図１】実施例１のサドル付分水栓の平面図である。
【図２】実施例１のサドル付分水栓の説明図である。
【図３】サドル付分水栓に外力が加わった場合の説明図である。
【図４】実施例１の変形例のサドル付分水栓の説明図である。
【図５】実施例２のサドル付分水栓の平面図である。
【図６】実施例２のサドル付分水栓の説明図である。
【図７】実施例３のサドル付分水栓の説明図である。
【発明を実施するための形態】
【００１９】
以下に、図面を参照して、本発明の実施の形態のサドル付分水栓を説明する。
【００２０】
（実施例１）
図１は実施例１のサドル付分水性の平面図である。図２は実施例１のサドル付分水栓の説明図である。図２において、サドル付分水栓の中心線の左側はサドル付分水栓の外観図であり、右側は部分断面図である。
【００２１】
図１に示すように、サドル付分水栓１Ａは、配水管２に固定されて配水管２を流通する水を給水管３に分岐させる。配水管２は金属製または樹脂製である。配水管２は、配水管２の管軸Ｌ０方向の所定の位置に分水のための取水孔を備える。サドル付分水栓１Ａは、配水管２の取水孔と重なる位置に固定される。サドル付分水栓１Ａは、配水管２および給水管３とともに地中に埋設される。
【００２２】
図２に示すように、サドル付分水栓１Ａは、配水管２に重ねられたサドル５と、分水栓６と、サドル５と分水栓６との間に位置する中間部材７と、パッキン８と、を備える。また、サドル付分水栓１Ａは、配水管２を間に挟んでサドル５とは反対側に位置するサドル固定具１１と、サドル５とサドル固定具１１とを締結するサドル締結具１２を備える。サドル５およびサドル固定具１１は、複数のサイズのものの中から配水管２の径寸法に適合する専用のサイズのものが選択されて用いられる。
【００２３】
以下では、配水管２にサドル付分水栓１Ａを重ねた姿勢に基づいて、サドル付分水栓１Ａを説明する。従って、図２に示すように、サドル５と配水管２とが重なる重なり方向を上下方向Ｚとする。また、サドル５を配水管２に重ねたときに配水管２が位置する側を下方Ｚ１（第１方向）、サドル５が位置する側を上方Ｚ２（第２方向）とする。また、配水管２の管軸Ｌ０に沿った方向をサドル付分水栓１Ａの前後方向Ｙとする。上下方向Ｚおよび前後方向Ｙと直交する方向をサドル付分水栓１Ａの左右方向Ｘとする。
【００２４】
サドル５は、青銅鋳物である。サドル５は、中間部材７を介して分水栓６が取り付けられる分水栓接続部２１と、分水栓接続部２１から左右方向Ｘの一方側および他方側に向かって下側に湾曲する左右一対のサドル湾曲部２２と、各サドル湾曲部２２の下端部分から
外側に延びる左右一対のサドルフランジ部２３と、を備える。
【００２５】
分水栓接続部２１は、小径筒部２５と、小径筒部２５の下方Ｚ１に連続する大径筒部２６と、を備える。大径筒部２６の内径寸法は小径筒部２５の内径寸法よりも大きい。また、大径筒部２６の外径寸法は小径筒部２５の外径寸法よりも大きい。小径筒部２５の中心孔および大径筒部２６の中心孔は、サドル５を上下方向Ｚに貫通するサドル貫通孔２７である。サドル５が配水管２に重ねられたときに、サドル貫通孔２７と取水孔４とは、上下方向Ｚで重なる。サドル貫通孔２７は、小径筒部２５の内周面である小径内周面２８と、大径筒部２６の内周面である大径内周面２９と、小径筒部２５の小径内周面２８と大径筒部２６の大径内周面２９とを接続する環状面３０と、を備える。環状面３０は下方Ｚ１を向いている。小径筒部２５の内周面にはサドル側雌ねじ３１が設けられている。
【００２６】
一対のサドル湾曲部２２は、それぞれ大径筒部２６の下端部分から左右方向Ｘに延びる。各サドル湾曲部２２は、板状であり、配水管２の外周面に沿って湾曲する。一対のサドルフランジ部２３のそれぞれには、サドル締結具１２を挿入するための締結具貫通孔３３が設けられている。
【００２７】
中間部材７は、青銅鋳物、或は、ステンレス鋼製である。中間部材７は、サドル貫通孔２７に挿入される筒部３５と、サドル５に固定される固定部３６と、を備える。筒部３５は、上端部に外周側に突出する環状突部３７を備える。筒部３５の内周面には中間部材側雌ねじ３８（雌ねじ）が設けられている。中間部材側雌ねじ３８のピッチは１ｍｍから２ｍｍである。筒部３５の外周面には、中間部材側雄ねじ３９が設けられている。中間部材側雄ねじ３９は、筒部３５がサドル貫通孔２７に挿入される際に、サドル側雌ねじ３１に捩じ込まれる。中間部材７の中間部材側雄ねじ３９は、サドル５に固定される固定部３６である。
【００２８】
中間部材７がサドル５に固定された状態では、筒部３５の環状突部３７の下端面がサドル５の小径筒部２５の上端面（分水栓接続部２１の上端面）に当接する。筒部３５の下端面は、サドル５の分水栓接続部２１の環状面３０と同一の高さ位置にある。
【００２９】
分水栓６は、青銅鋳物である。分水栓６は、水を流出させる流出口４１を備える分水栓本体部４２と、分水栓本体部４２から下方Ｚ１に突出する流入管４３と、を備える。分水栓本体部４２の内部には、流出口４１と流入管４３とを連通させる不図示の流路が設けられている。流入管４３は、外周面に中間部材側雌ねじ３８に螺合する分水栓側雄ねじ４５（雄ねじ）を有する。分水栓側雄ねじ４５のピッチは、１ｍｍから２ｍｍである。分水栓６は、流入管４３が中間部材７の筒部３５にねじ込まれることにより、中間部材７を介してサドル５に取り付けられる。筒部３５にねじ込まれた流入管４３の軸線Ｌは上下方向Ｚに延びる。
【００３０】
流入管４３は、筒部３５の所定の位置４３Ａまで捩じ込まれて、サドル貫通孔２７に連通する。所定の位置４３Ａは、流入管４３を、更に、下方Ｚ１に捩じ込むことが可能な位置である。すなわち、流入管４３が所定の位置４３Ａまで捩じ込まれた状態では、分水栓６の分水栓本体部４２と中間部材７との間には上下方向Ｚで隙間が設けられている。言い換えれば、流入管４３が所定の位置４３Ａまで捩じ込まれたときに、分水栓６と中間部材７とは、上下方向Ｚで当接していない。流入管４３は、所定の位置４３Ａに捩じ込まれた状態で、筒部３５から下方Ｚ１に突出する突出部４７を備える。突出部４７には、軸線Ｌ回りの環状溝４８が設けられている。環状溝４８は分水栓側雄ねじ４５の下方Ｚ１に隣り合う位置に形成されている。
【００３１】
流出口４１は配水管２からの水を流入管４３の軸線Ｌと交差する方向に流出させる。流
出口４１は流入管４３の軸線Ｌと直交する左右方向Ｘの一方側に向いている。流出口４１には給水管３が接続される。
【００３２】
パッキン８は合成ゴムなどからなる。パッキン８は円環状である。パッキン８の周方向の一部分を上下方向Ｚに切断した断面形状は、全体として上下方向Ｚに長い長方形形状である。パッキン８の内周面の上側部分には、外周側に窪むパッキン環状溝５１が設けられている。パッキン８におけるパッキン環状溝５１より上側の内周端部分は、流入管４３の環状溝４８に嵌め込まれる環状の嵌め込み部５２となっている。
【００３３】
パッキン８は、嵌め込み部５２が環状溝４８に嵌め込まれて、流入管４３の突出部４７に取り付けられる。また、パッキン８は流入管４３の外周面に密着する。これにより、パッキン８は流入管４３の外周側に支持される。従って、サドル付分水栓１Ａを配水管２に重ねる際に、パッキン８が脱落することがない。
【００３４】
ここで、パッキン８が突出部４７に取り付けられた状態では、パッキン８の上面は、中間部材７の筒部３５の下端面に接触する。また、パッキン８の上面は、サドル５の分水栓接続部２１の環状面３０に接触する。そして、パッキン８の上側部分は、径方向でサドル５の大径筒部２６と流入管４３との間に位置する。従って、流入管４３の軸線Ｌ方向から見た場合に、パッキン８は、流入管４３の雄ねじと中間部材７の筒部３５の雌ねじとが螺合する螺合部分５５、中間部材７の筒部３５、およびサドル５におけるサドル貫通孔２７の開口縁２７ａと重なる。パッキン８の下端部分は、大径筒部２６から下方Ｚ１に突出する。
【００３５】
次に、サドル固定具１１は、配水管２の外周面に沿って湾曲する固定具側湾曲部５６と、固定具側湾曲部５６の左右方向Ｘの両端部分から突出する左右一対の固定具側フランジ部５７と、を備える。固定具側湾曲部５６は、配水管２を間に挟んで、サドル５の分水栓接続部２１およびサドル湾曲部２２の反対側に位置する。固定具側フランジ部５７はサドル５のサドルフランジ部２３と対向する。固定具側フランジ部５７はサドル締結具１２を挿入するための固定部側貫通孔５８を備える。
【００３６】
サドル５とサドル固定具１１とはサドル締結具１２により締結される。サドル締結具１２は、ボルト６１およびナット６２を備える。ボルト６１は、固定具側フランジ部５７の締結具貫通孔３３を介してサドル５のサドルフランジ部２３の締結具貫通孔３３を上方Ｚ２に貫通する。ナット６２は、サドルフランジ部２３の上方Ｚ２からボルト６１に捩じ込まれる。サドル５とサドル固定具１１とがサドル締結具１２により締結されると、サドル付分水栓１Ａは、配水管２に固定される。
【００３７】
サドル付分水栓１Ａが配水管２に固定された状態を上下方向Ｚから見た場合には、配水管２の取水孔４とサドル５のサドル貫通孔２７とは重なる。従って、中間部材７を介してサドル５に固定された分水栓６の流入管４３と取水孔４とは連通する。よって、サドル付分水栓１Ａを配水管２に固定することにより、配水管２を流れる水を、給水管３に分岐させることができる。
【００３８】
ここで、パッキン８は、サドル５が配水管２に重ねられたときに当該配水管２に接触して取水孔４を囲む。また、パッキン８は、サドル付分水栓１Ａが配水管２に固定されると、中間部材７と配水管２との間、およびサドル５の分水栓接続部２１と配水管２との間、で圧縮された状態となる。ここで、パッキン８は、流入管４３の軸線Ｌ方向から見た場合に、分水栓側雄ねじ４５と中間部材側雌ねじ３８とが螺合する螺合部分５５、中間部材７の筒部３５、中間部材側雄ねじ３９とサドル側雌ねじ３１との螺合部分６０、およびサドル５におけるサドル貫通孔２７の開口縁２７ａと重なっている。従って、配水管２から分
水栓６を経由して給水管３に流れる水がサドル付分水栓１Ａから漏れることはない。
【００３９】
（作用効果）
図３はサドル付分水栓１Ａに外力が働いた場合の説明図である。サドル付分水栓１Ａは配水管２および給水管３とともに地中に埋設される。従って、地震などに起因して地盤が変動すると、互いに交差する方向に延びる配水管２および給水管３に作用する外力によって、分水栓６がサドル５に対して回転しようとする場合がある。一例として、地盤の変動が大きい場合には、図３に示すように、分水栓６は、図１に示す埋設時の角度位置から、軸線回りＬの一方側に４５°、他方側に４５°回転することが想定される。
【００４０】
このような場合に、本例では、分水栓６は、サドル貫通孔２７に挿入された中間部材７の筒部３５に流入管４３をねじ込むことによりサドル５に固定されている。従って、分水栓６をサドル５に固定する際にサドル貫通孔２７の内壁面に雌ねじを設けて流入管４３を当該サドル貫通孔２７にねじ込んだ場合と比較して、流入管４３の外径寸法を小さくできる。これにより、流出口４１に接続された給水管３などを介して分水栓６を流入管４３の軸線Ｌ回りに回転させる力が加わったときには、分水栓６が回転しやすくなる。よって、サドル付分水栓１Ａに外力が加わった場合には、分水栓６が回転して、この力を逃がすことができる。従って、サドル付分水栓１Ａに損傷が発生することを防止できる。
【００４１】
また、流入管４３は、筒部３５の所定の位置４３Ａまで捩じ込まれており、所定の位置４３Ａは、流入管４３を更に第１方向に捩じ込むことが可能な位置である。従って、サドル付分水栓１Ａに外力が加わった場合に、分水栓６は、第１方向に移動する回転方向および第２方向に移動する回転方向の双方に回転することができる。すなわち、サドル付分水栓１Ａに外力が加わった場合には、分水栓６を、埋設時の角度位置から、軸線回りＬの一方側および他方側に回転させることができる。
【００４２】
さらに、パッキン８は、流入管４３の雄ねじと筒部３５の雌ねじとが螺合する螺合部分５５と重なる。従って、パッキン８によって、流入管４３の雄ねじと中間部材７の筒部３５の雌ねじとの螺合部分５５を、止水できる。よって、分水栓６がサドル５に対して回転した場合でも、水漏れの発生を抑制できる。ここで、分水栓側雄ねじ４５のピッチ、すなわち、中間部材側雌ね３８のピッチは、１ｍｍから２ｍｍである。従って、分水栓６が埋設時の角度位置から一方側或いは他方側に４５°回転した場合でも、分水栓６の軸線Ｌ方向への移動は、０．５ｍｍ以下であり、僅かである。よって、分水栓６がサドル５に対して回転した場合でも、水漏れの発生を防止できる。
【００４３】
（変形例１）
ここで、図１に二点鎖線で示すように、中間部材側雄ねじ３９とサドル側雌ねじ３１との螺合部分６０に塗布されて中間部材７とサドル５とを接着する第１接着剤６３を備えるとともに、分水栓側雄ねじ４５と中間部材側雌ねじ３８との螺合部分５５に塗布されて分水栓６とサドル５とを接着する第２接着剤６４を備えることができる。第２接着剤６４は、第１接着剤６３よりも接着力が弱いものを用いる。
【００４４】
このようにすれば、中間部材７とサドル５とを確実に固定できる。この一方で、サドル付分水栓１Ａに外力が加わった場合に、分水栓６が回転して、この力を逃がすことができる。従って、サドル付分水栓１Ａに損傷が発生することを防止できる。なお、第１接着剤６３を用いる場合に、第２接着剤６４を省略してもよい。
【００４５】
また、分水栓６の流入管４３と中間部材７の筒部３５との間に配置された弾性の環状シール部材を有してもよい。図４は、環状シール部材を有する変形例のサドル付分水栓の説明図である。なお、変形例のサドル付分水栓１Ｂは、実施例１のサドル付分水栓１Ａと対
応する構成を備えるので、環状シール部材６５および環状シール部材６５の配置を説明して、他の説明は省略する。
【００４６】
図４に示すように、本例では、中間部材７は、筒部３５の内周面の上端部分に環状の切欠き部６６を備える。切欠き部６６は、内周側を向く切欠き部環状壁６６ａと、切欠き部環状壁６６ａの下端から内周側に延びる切り欠き部環状面６６ｂと、を備える。切り欠き部環状面６６ｂは上方Ｚ２（第２方向）を向く。また、分水栓６の外周面における分水栓側雄ねじ４５の上方Ｚ２に隣り合う位置には、第２の環状溝６７が設けられている。環状溝４８には、弾性の環状シール部材６５が取り付けられている。環状シール部材６５は、弾性部材であり、例えば、Ｏリングである。Ｏリングは、第２の環状溝６７に取り付けられた状態で、その外周側部分が分水栓側雄ねじ４５よりも外周側に突出する。
【００４７】
流入管４３が所定の位置４３Ａまで筒部３５に捩じ込まれた状態では、環状シール部材６５は、上下方向Ｚから見た場合に、分水栓側雄ねじ４５と中間部材側雌ねじ３８とが螺合する螺合部分５５と重なる。また、環状シール部材６５は、流入管４３と中間部材７との間で径方向に圧縮される。すなわち、環状シール部材６５は、流入管４３における第２の環状溝６７の底面（内周側の壁面）と、中間部材７における切欠き部環状壁６６ａと、の間に挟まれて、径方向に圧縮される。
【００４８】
本例では、環状シール部材６５とパッキン８とによって分水栓側雄ねじ４５と中間部材側雌ねじ３８との螺合部分５５を止水する。従って、分水栓６が中間部材７に対して回転した場合でも、水漏れが発生することがない。
【００４９】
（実施例２）
図５は、実施例２のサドル付分水栓の平面図である。図６は実施例２のサドル付分水栓の説明図である。図６において、サドル付分水栓の中心線の左側はサドル付分水栓の外観図であり、右側は部分断面図である。本例のサドル付分水栓１Ｃは、実施例１のサドル付分水栓１Ｃと対応する構成を備える。従って、対応する部分には同一の符号を付して、説明する。
【００５０】
図５、図６に示すように、サドル付分水栓１Ｃは、配水管２に重ねられたサドル５と、分水栓６と、サドル５と分水栓６との間に位置する中間部材７と、環状シール部材６５と、パッキン８と、を備える。また、サドル付分水栓１Ｃは、配水管２を間に挟んでサドル５とは反対側に位置するサドル固定具１１と、サドル５とサドル固定具１１とを締結するサドル締結具１２を備える。
【００５１】
サドル５は、青銅鋳物である。図６に示すように、サドル５は、中間部材７を介して分水栓６が取り付けられる分水栓接続部２１と、分水栓接続部２１から左右方向Ｘの一方側および他方側に向かって下側に湾曲する左右一対のサドル湾曲部２２と、各サドル湾曲部２２の下端部分から外側に延びる左右一対のサドルフランジ部２３と、を備える。
【００５２】
図５に示すように、分水栓接続部２１を上下方向Ｚから見た形状は正方形形状である。図６に示すように、分水栓接続部２１は、中心に上下方向Ｚに貫通する円形のサドル貫通孔２７を備える。サドル貫通孔２７は、円形の上側内周面７１と、上側内周面７１の下方Ｚ１で上側内周面７１よりも内径寸法が大きい円形の下側内周面７２と、上側内周面７１と下側内周面７２とを接続する環状面７３と、によって規定されている。すなわち、分水栓接続部２１は、上側内周面７１、下側内周面７２および環状面７３によって規定されたサドル貫通孔２７を備える。環状面７３は下方Ｚ１を向いている。ここで、分水栓接続部２１の上端面、すなわち、分水栓接続部２１においてサドル貫通孔２７の外周側に位置する部分は、中間部材７が固定されるサドル側固定部７４である。
【００５３】
一対のサドル湾曲部２２は、分水栓接続部２１の下端部分から左右方向Ｘに延びる。各サドル湾曲部２２は、板状であり、配水管２の外周面に沿って湾曲する。一対のサドルフランジ部２３のそれぞれには、サドル締結具１２を挿入するための締結具貫通孔３３が設けられている。
【００５４】
中間部材７は、青銅鋳物、或は、ステンレス鋼製である。中間部材７は、サドル貫通孔２７に挿入される筒部３５と、筒部３５の上端部分から外周側に広がる正方形形状のフランジ部７５と、筒部３５およびフランジ部７５の上面から上方Ｚ２に突出する円形の環状突出部分７６と、を備える。中間部材７のフランジ部７５は、サドル５に固定される固定部３６である。筒部３５の内周面には、中間部材側雌ねじ３８（雌ねじ）が設けられている。上下方向Ｚから見た場合に、環状突出部分７６は、中間部材側雌ねじ３８を外周側から囲む。筒部３５は、環状突出部分７６の内周側に環状面３５ａを備える。
【００５５】
中間部材７は、フランジ部７５がサドル５の分水栓接続部２１の上面（サドル側固定部７４）に載せられ、ボルト７８によってサドル５に固定される。中間部材７がサドル５に固定された状態では、筒部３５の下端面は、分水栓接続部２１の環状面７３と同一の高さ位置にある。
【００５６】
分水栓６は、水を流出させる流出口４１を備える分水栓本体部４２と、分水栓本体部４２から下方Ｚ１に突出する流入管４３と、を備える。分水栓本体部４２の内部には、流出口４１と流入管４３とを連通させる不図示の流路が設けられている。流入管４３は、外周面に中間部材側雌ねじ３８に螺合する分水栓側雄ねじ４５（雄ねじ）を有する。分水栓側雄ねじ４５のピッチは、１ｍｍから２ｍｍである。また、分水栓６は、流入管４３の外周面の分水栓側雄ねじ４５の上方Ｚ２に隣り合う位置に、上側環状溝８０（第２の環状溝）を備える。環状溝４８には、弾性の環状シール部材６５が取り付けられている。環状シール部材６５は、例えば、Ｏリングである。Ｏリングは、上側環状溝８０に取り付けられた状態で、その外周側部分が分水栓側雄ねじ４５よりも外周側に突出する。
【００５７】
分水栓６は、流入管４３が中間部材７の筒部３５にねじ込まれることにより、サドル５に取り付けられる。流入管４３が筒部３５にねじ込まれた状態で、流入管４３の軸線Ｌは上下方向Ｚに延びる。
【００５８】
流入管４３は、筒部３５の所定の位置４３Ａまで捩じ込まれている。所定の位置４３Ａは、流入管４３を、更に、下方Ｚ１に捩じ込むことが可能な位置である。流入管４３は、所定の位置４３Ａに捩じ込まれた状態で、筒部３５から下方Ｚ１に突出する突出部４７を備える。突出部４７には、軸線Ｌ回りの環状溝４８が設けられている。環状溝４８は分水栓側雄ねじ４５の下方Ｚ１に隣り合う位置に形成されている。
【００５９】
また、流入管４３が所定の位置４３Ａまで捩じ込まれた状態では、環状シール部材６５は、上下方向Ｚから見た場合に、分水栓側雄ねじ４５と中間部材側雌ねじ３８とが螺合する螺合部分５５と重なる。また、環状シール部材６５は、流入管４３と中間部材７との間で径方向に圧縮される。すなわち、環状シール部材６５は、流入管４３における上側環状溝８０の底面（内周側の壁面）と、中間部材７における環状突出部分７６と、の間に挟まれて、径方向に圧縮される。
【００６０】
流出口４１は配水管２からの水を流入管４３の軸線Ｌと交差する方向に流出させる。本例では、流出口４１は、流入管４３の軸線Ｌと直交する方向に向いている。流出口４１には、給水管３が接続される。
【００６１】
パッキン８は、円環状であり、合成ゴムなどからなる。パッキン８の周方向の一部分を上下方向Ｚに切断した断面形状は、全体として上下方向Ｚに長い長方形形状である。パッキン８の内周面の上側部分には、外周側に窪むパッキン環状溝５１が設けられている。パッキン８におけるパッキン環状溝５１より上側の内周端部分は、流入管４３の環状溝４８に嵌め込まれる環状の嵌め込み部５２となっている。
【００６２】
パッキン８は、嵌め込み部５２が環状溝４８に嵌め込まれて、流入管４３の突出部４７に取り付けられる。また、パッキン８は流入管４３の外周面に密着する。これにより、パッキン８は流入管４３の外周側に支持される。従って、サドル付分水栓１Ｃを配水管２に重ねる際に、パッキン８が脱落することがない。
【００６３】
ここで、パッキン８が突出部４７に取り付けられた状態では、パッキン８の上面は、中間部材７の筒部３５の下端面に接触する。また、パッキン８の上面は、サドル５の分水栓接続部２１の環状面７３に接触する。そして、パッキン８の上側部分は、径方向でサドル５の下側内周面７２と流入管４３との間に位置する。従って、流入管４３の軸線Ｌ方向から見た場合に、パッキン８は、流入管４３の雄ねじと中間部材７の筒部３５の雌ねじとが螺合する螺合部分５５、中間部材７の筒部３５、およびサドル５におけるサドル貫通孔２７の開口縁２７ａと重なる。パッキン８の下端部分は、分水栓接続部２１よりも下方Ｚ１に突出する。
【００６４】
次に、サドル固定具１１は、配水管２の外周面に沿って湾曲する固定具側湾曲部５６と、固定具側湾曲部５６の左右方向Ｘの両端部分から突出する左右一対の固定具側フランジ部５７と、を備える。固定具側湾曲部５６は、配水管２を間に挟んで、サドル５の分水栓接続部２１およびサドル湾曲部２２の反対側に位置する。固定具側フランジ部５７はサドル５のサドルフランジ部２３と対向する。固定具側フランジ部５７はサドル締結具１２を挿入するための固定部側貫通孔５８を備える。
【００６５】
サドル５とサドル固定具１１とはサドル締結具１２により締結される。サドル締結具１２は、ボルト６１およびナット６２を備える。ボルト６１は、固定具側フランジ部５７の締結具貫通孔３３を介してサドル５のサドルフランジ部２３の締結具貫通孔３３を上方Ｚ２に貫通する。ナット６２は、サドルフランジ部２３の上方Ｚ２からボルト６１に捩じ込まれる。サドル５とサドル固定具１１とがサドル締結具１２により締結されると、サドル付分水栓１Ａは、配水管２に固定される。
【００６６】
サドル付分水栓１Ｃが配水管２に固定された状態を上下方向Ｚから見た場合には、配水管２の取水孔４とサドル５のサドル貫通孔２７とは重なる。従って、中間部材７を介してサドル５に固定された分水栓６の流入管４３と取水孔４とが連通する。よって、サドル付分水栓１Ｃを配水管２に固定することにより、配水管２を流れる水を、給水管３に分岐させることができる。
【００６７】
ここで、パッキン８は、サドル５が配水管２に重ねられたときに当該配水管２に接触して取水孔４を囲む。また、パッキン８は、サドル付分水栓１Ｃが配水管２に固定されると、中間部材７と配水管２との間、および、サドル５の分水栓接続部２１と配水管２との間で、圧縮された状態となる。ここで、パッキン８は、流入管４３の軸線Ｌ方向から見た場合に、分水栓側雄ねじ４５と中間部材側雌ねじ３８とが螺合する螺合部分５５、中間部材７の筒部３５、およびサドル５におけるサドル貫通孔２７の開口縁２７ａと重なっている。従って、配水管２から分水栓６を経由して給水管３に流れる水がサドル付分水栓１Ｃから漏れることはない。また、本例では、環状シール部材６５とパッキン８とによって分水栓側雄ねじ４５と中間部材側雌ねじ３８との螺合部分５５を止水する。従って、分水栓６がサドル５に対して回転した場合でも、水漏れの発生を確実に防止できる。
【００６８】
本例においても、互いに交差する方向に延びる配水管２および給水管３に作用する外力によって、分水栓６がサドル５に対して回転しようとした場合には、分水栓６が回転して、この力を逃がすことができる。従って、サドル付分水栓１Ｃに損傷が発生することを防止できる。
【００６９】
なお、本例において、環状シール部材６５は、省略することができる。
【００７０】
（実施例３）
上記のサドル付分水栓１Ａ、１Ｂ、１Ｃにおいて、中間部材７と分水栓６との相対回転を防止する回転防止機構を有してもよい。図７（ａ）は実施例３のサドル付分水栓の平面図であり、図７（ｂ）はサドル付分水栓の実施例３の説明図である。なお、本例のサドル付分水栓１Ｄは、回転防止機構８１を除く他の構成は、実施例１のサドル付分水栓１Ａと同一である。従って、回転防止機構８１を説明して、他の説明を省略する。また、図７において、サドル固定具１１の図示を省略する。
【００７１】
図７に示すように、回転防止機構８１は、中間部材７に設けられた中間部材側係止部８２と、分水栓６に設けられた分水栓側係止部８３と、中間部材側係止部８２および分水栓側係止部８３に着脱可能に係止されて中間部材７と分水栓６との相対回転を防止する係止部材８４と、を備える。
【００７２】
分水栓側係止部８３は、分水栓本体部４２の下端部分から流入管４３の軸線Ｌと直交する方向に平行に突出する２つの突起８５を備える。２つの突起８５は、流出口が左右方向の一方を向いている状態で、前後方向に突出する。中間部材側係止部８２は、中間部材７の上面に設けられた係止孔８６である。上下方向から見た場合に、２つの突起８５の間の隙間と係止孔８６とは重なる。係止部材８４は、上方から下方に向かって大径軸部８４ａと、大径軸部８４ａよりも外径寸法の小さい小径軸部８４ｂとをこの順に備える。大径軸部８４ａは、２つの突起８５の間に着脱可能に挿入可能である。小径軸部８４ｂは係止孔８６に着脱可能に挿入可能である。
【００７３】
本例では、配水管２および給水管３に対してサドル付分水栓１Ｄを設置する施工時には、係止部材８４を中間部材側係止部８２および分水栓側係止部８３に係止して中間部材７と分水栓６とが相対回転することを防止する。また、サドル付分水栓１Ｃを配水管２および分水栓６とともに地中に埋設する際には、係止部材８４を中間部材側係止部８２および分水栓側係止部８３から取り外す。従って、地中に埋設されたサドル付分水栓１Ｃに外力が加わったときに分水栓６が回転して、この力を逃がすことができる。よって、サドル付分水栓１Ｃに損傷が発生することを防止できる。
【００７４】
なお、パッキン８は、流入管４３に嵌め込まれて流入管４３の外周面に密着していれば、螺合部分５５を止水できる。従って、流入管４３のパッキン環状溝５１およびパッキン８の嵌め込み部５２は省略してもよい。
【符号の説明】
【００７５】
１Ａ、１Ｂ、１Ｃ、１Ｄ…サドル付分水栓、２…配水管、３…給水管、４…取水孔、５…サドル、６…分水栓、７…中間部材、８…パッキン、１１…サドル固定具、１２…サドル締結具、２１…分水栓接続部、２２…サドル湾曲部、２３…サドルフランジ部、２５…小径筒部、２６…大径筒部、２７…サドル貫通孔、２７ａ…サドルにおけるサドル貫通孔の開口縁、２８…小径内周面、２９…大径内周面、３０…環状面、３３…締結具貫通孔、３５…筒部、３５ａ…環状面、３６…固定部、３７…環状突部、４１…流出口、４２…分水栓本体部、４３…流入管、４３Ａ…流入管の所定の位置、４７…突出部、４８…環状溝、
５１…パッキン環状溝、５２…嵌め込み部、５５…螺合部分、５６…固定具側湾曲部、５７…固定具側フランジ部、５８…固定部側貫通孔、６０…螺合部分、６１…ボルト、６２…ナット、６３…第１接着剤、６４…第２接着剤、６５…環状シール部材、６６…切欠き部、６６ａ…切欠き部環状壁、６６ｂ…切り欠き部環状面、６７…第２の環状溝、７１…上側内周面、７２…下側内周面、７３…環状面、７４…サドル側固定部、７５…フランジ部、７６…環状突出部分、７８…ボルト、８０…上側環状溝、８１…回転防止機構、８２…中間部材側係止部、８３…分水栓側係止部、８４…係止部材、８４ａ…大径軸部、８４ｂ…小径軸部、８５…突起、８６…係止孔。
【図１】
2020133708.tif 000003
【図２】
2020133708.tif 000004
【図３】
2020133708.tif 000005
【図４】
2020133708.tif 000006
【図５】
2020133708.tif 000007
【図６】
2020133708.tif 000008
【図７】
2020133708.tif 000009